(57)【要約】【課題】  園芸用の培土などに適した土壌充填による還元消毒法を提供することを課題とする。【解決手段】  消毒方法１は、易分解性のフスマを土壌に対して重量比が１．０重量％になるように混合した土壌混合物をポリエチレン袋に充填する充填工程Ｓ１と、土壌混合物に対し圃場容水量以上の水を供給し、浸潤状態にする浸潤化工程Ｓ２と、浸潤状態の土壌混合物をポリエチレン袋に密閉する密閉工程Ｓ３と、地温を２０℃以上に保持し、ポリエチレン袋を３週間静置する静置工程Ｓ４と、静置されたポリエチレン袋から土壌混合物を取出し、乾燥させる乾燥工程Ｓ５とを具備する。これにより、有機物の分解に伴う土壌微生物の働きにより、土壌病虫害、雑草の防除を簡易に行うことができる。【選択図】        図１
2005112815.tif 000002
【特許請求の範囲】
【請求項１】
土壌、及び微生物による易分解性を有し、前記土壌に対して所定の混合比率で混合された有機物を含む土壌混合物を、不透水性を有する樹脂製袋の内部に充填する充填工程と、
前記充填工程によって前記樹脂製袋に充填された前記土壌混合物に、圃場容水量を超える水量の水を供給し、前記土壌混合物を浸潤状態とする浸潤化工程と、
前記樹脂製袋の袋口を閉塞し、前記土壌混合物と外気との通気を遮断する密閉工程と、
前記土壌混合物が内部に充填及び密閉された前記樹脂製袋を、所定の温度条件下で静置する静置工程と
を具備することを特徴とする土壌充填による還元消毒法。
【請求項２】
前記土壌混合物の前記混合比率は、
前記土壌に対する前記有機物の重量比が、０．５重量％以上、１０．０重量％以下の範囲に設定されていることを特徴とする請求項１に記載の土壌充填による還元消毒法。
【請求項３】
前記有機物は、
フスマ、米糠、及び作物残渣のいずれか一つが利用されることを特徴とする請求項１または請求項２に記載の土壌充填による還元消毒法。
【請求項４】
前記樹脂製袋は、
光透過性素材によって形成され、
前記静置工程は、
前記樹脂製袋の内部に充填された前記土壌混合物に対し、前記樹脂製袋を通して太陽光が照射され、地温を２０℃以上、６０℃以下に保持することを特徴とする請求項１乃至請求項３のいずれか一つに記載の土壌充填による還元消毒法。
【発明の詳細な説明】
【技術分野】
【０００１】
本発明は、臭化メチルなどの土壌くん蒸剤を用いることなく、土壌中に存在する病害虫を除去し、作物等の被害を抑えることの可能な土壌充填による還元消毒法に関するものである。
【背景技術】
【０００２】
従来から、種々の病害虫による作物や園芸用植物への土壌病虫害を防ぐため、物理的防除法或いは化学的防除法が主に用いられている。
【０００３】
物理的防除の手法としては、土壌に対し、高温の蒸気を当てることにより消毒するもの（蒸気消毒法）が知られている。土壌病害を引き起こす主な要因は、土壌中に存在する病害虫である。そこで、ボイラーにより高温の蒸気を発生させ、この蒸気を土壌中に連続的に送り込むことによって、高温耐性の乏しい土壌病原菌及び雑草の種子を死滅させるものである。
【０００４】
一方、化学的防除法は、例えば、クロルピクリン剤、或いは臭化メチル剤などの土壌くん蒸剤を土壌中に直接拡散させることにより、これらの薬剤の効果によって土壌病原菌や雑草の種子の死滅を図るものである。土壌くん蒸剤は、容易に気化する性状を有し、土壌孔隙を通って速やかに広範囲に拡散する。これにより、土壌中の病原菌や雑草の種子を死滅させることができるものである。
【０００５】
ここで、臭化メチル剤を使用した土壌のくん蒸処理の一例についてさらに具体的に示すと、予め開缶具と呼ばれる器具を装着した臭化メチル剤の充填された複数のボンベを、消毒対象となる土壌に決められた処理量に合わせて配置する。次に、土壌及びボンベの上方からポリエチレンなどのガス不透過性のフィルムによって土壌の表面全体を被覆する。さらに、開缶具を操作し、ボンベ内に充填された臭化メチル剤を被覆されたフィルムの下の土壌中に拡散させる。これにより、被覆用のフィルムによって上方への揮散が阻害された臭化メチルガスは、下方の土壌中に浸透し、土壌病原菌や雑草の種子を死滅させることができる。なお、くん蒸に要する期間は、処理時の温度に応じて適宜調整することができる。
【０００６】
なお、この時くん蒸に用いるクロルピクリン剤や臭化メチル剤は、土壌病原菌の殺菌のみならず、土壌中の有害線虫や土壌害虫に対しても有効である。しかし、これらの薬剤は、劇物であるために、取扱いに際しては細心の注意を要する。特に、広範囲の土壌に対して使用する場合では、処理時の風向きに注意し、風下に位置する人家等へガスが流出しないようにする必要がある。また、臭化メチルはオゾン層破壊物質に指定されている。そのため、当該臭化メチルの生産量及び消費量が厳しく制限及び管理されており、２００５年１月１日をもって、その使用が全面的に禁止されることが決定されている。そのため、臭化メチル剤を用いた化学的防除に頼ることなく、土壌病原菌の消毒が可能な手法について、研究及び開発が進められている。
【０００７】
その中の研究の一例として、土壌微生物の餌となる易分解性の有機物を、消毒対象の土壌に予め所定の比率で添加し、さらに水を加えることによって土壌全体の含水率を高くする。そして、この状態で圃場全体をビニールフィルムなどで被覆し、太陽熱による地温の上昇をさせるものが知られている。すなわち、一般に土壌病原菌は、５５℃から６０℃程度に高温に晒されると極めて短時間で死滅することから、太陽熱による高地温と、土壌還元状態による土壌病原菌の死滅を図る方法が既に開示されている（例えば、非特許文献１及び非特許文献２参照）。
【０００８】
【非特許文献１】新村  昭憲、「土壌還元消毒の原理と実用化への道」、今月の農業、化学日報工業社、２００３年５月号、ｐ５４−５８
【非特許文献２】野村  康弘、峯村  晃、「土壌還元消毒法による育苗培土の活性化」、平成１４年度  岐阜県中山間農業技術研究所試験研究成績概要書、２００３年、ｐ２９３−３００
【発明の開示】
【発明が解決しようとする課題】
【０００９】
従来の土壌還元消毒法は、太陽熱による高地温と有機物還元による低酸素状態での死滅を狙ったものであるが、有機物の微生物の分解がもたらす効果（肥料、除草効果）は十分に明らかになっていない。
【００１０】
加えて、土壌還元消毒法は、圃場全体を対象とするものであるが、育苗作物に用いられる土壌についての消毒方法は考慮されていない。
【００１１】
特に近年では、家庭用菜園やガーデニングなどが流行し、多くの人々が自宅の庭やベランダなどで植物を栽培することが多く、園芸用の培土の流通量も多い。そのため、使用済の園芸用の培土などを再利用する方法が必要とされた。
【００１２】
そこで、本発明は、上記実情に鑑み、特に、園芸用の培土などに適した土壌充填による還元消毒法を提供することを課題とするものである。
【課題を解決するための手段】
【００１３】
上記の課題を解決するため、本発明の土壌充填による還元消毒法は、「土壌、及び微生物による易分解性を有し、前記土壌に対して所定の混合比率で混合された有機物を含む土壌混合物を、不透水性を有する樹脂製袋の内部に充填する充填工程と、前記充填工程によって前記樹脂製袋に充填された前記土壌混合物に、圃場容水量を超える水量の水を供給し、前記土壌混合物を浸潤状態とする浸潤化工程と、前記樹脂製袋の袋口を閉塞し、前記土壌混合物と外気との通気を遮断する密閉工程と、前記土壌混合物が内部に充填及び密閉された前記樹脂製袋を、所定の温度条件下で静置する静置工程と」を具備するものである。
【００１４】
ここで、易分解性を有する有機物とは、例えば、フスマ、米糠、ショ糖、及び稲わらなどを含む作物残渣などを挙げることができる。また、樹脂製袋は、例えば、ポリエチレン樹脂またはポリ塩化ビニル樹脂によってシート状に成型されたものを熱接着などによって袋状にしたものである。なお、これらの樹脂製袋は、透水性を有しないものであり、袋口を閉塞することにより、樹脂製袋の内部を気密状態にすることが可能である。なお、樹脂製の樹脂製袋は、園芸用の肥料や培土などが充填されたいわゆる「肥料袋」等を再利用することも可能である。
【００１５】
ここで、圃場容水量とは、「多量の降雨若しくは潅水し、重力による水の下降運動が非常に小さくなったときの含水量」として定義されるものであり、さらに詳細に説明すると、土壌が水によって完全に飽和した状態（φ＝０ｋＰａ，ｐＦ＝０）における水分保持量（最大容水量に相当）から、２４時間以内で排出される水を重力水といい、このとき、重力水の排出によってできた空気の孔隙（粗孔隙）がある状態の水分保持量を圃場容水量（φ＝−６ｋＰａ，ｐＦ＝１．８）として定義するものである。ここで、φは土壌水における水の表面張力や土粒子の吸着力によるマトリックポテンシャルに相当し、係るマトリックポテンシャルφの負の常用対数をとったものをｐＦ（＝ｌｏｇ（−１０．２φ）)として表すことが慣習的に行われている。
【００１６】
したがって、本発明の土壌充填による還元消毒法によれば、還元消毒を行う対象となる土壌と、微生物によって易分解可能なフスマなどの有機物とを混合した土壌混合物が樹脂製袋からなる樹脂製袋に充填され、さらにｐＦ＝１．８の圃場容水量を超える水量の水が樹脂製袋の内部の土壌混合物に与えられる。これにより樹脂製袋の内部の土壌混合物は、含水率が非常に高い状態となる。ここで樹脂製袋はポリエチレン樹脂などの不透水性の素材で形成されているため、圃場容水量以上の水量の水が与えられた樹脂製袋内部から、係る水が外部に漏出することがない。
【００１７】
そして、密閉工程において樹脂製袋の袋口を閉塞することにより、樹脂製袋の内部の気密状態が保たれる。さらに、土壌混合物の含水率の変化がなくなる。その結果、樹脂製袋の内部において、高含水率の状態で所定の温度条件下（例えば、地温が２０℃以上になるような条件で約３週間）で静置することにより、土壌中の土壌病原菌を死滅させ、土壌の消毒の処理が簡易に行えるようになる。すなわち、圃場全体を還元消毒させる必要がなく、所望の量の土壌のみを土壌還元消毒することができる。これにより、小規模の農業或いは家庭菜園などに利用する土壌を、簡易にかつ、手軽に処理することが可能となる。
【００１８】
ここで、土壌混合物に対する水量が圃場容水量未満であると、土壌に混合された有機物の分解反応が十分に行われない。そこで、本発明においては、少なくとも圃場容水量以上の水を土壌混合物に対して供給する必要がある。また、密閉された樹脂製袋を静置する静置工程は、上述した２０℃以上で約３週間の静置期間に限らず、さらに高温（例えば、３０℃以上）で静置することにより、期間の短縮を図ることが可能である。
【００１９】
さらに、本発明の土壌充填による還元消毒法は、上記構成に加え、「前記土壌混合物の前記混合比率は、前記土壌に対する前記有機物の重量比が、０．５重量％以上、１０．０重量％以下の範囲に設定されている」ものであっても構わない。
【００２０】
したがって、本発明の土壌充填による還元消毒法によれば、土壌混合物における土壌に対する有機物の重量比が０．５重量％以上、１０．０重量％以下の範囲に調整して混合される。ここで、有機物の重量比が０．５重量％よりも低いと、土壌微生物による有機物分解に伴う効果が十分に得られず、一方、１０．０重量％よりも高い場合、混合する有機物の種類によっては多くのコストがかかることがあった。そこで、有機物の重量比を０．５重量％以上、１０．０重量％以下、さらに好ましくは、フスマを用いて１．０重量％以上２．０重量％以下に設定することにより、上述の還元処理の効率及び処理コストの問題を解消して、土壌消毒を行うことが可能となる。
【００２１】
さらに、本発明の土壌充填による還元消毒法は、上記構成に加え、「前記有機物は、フスマ、米糠、及び作物残渣のいずれか一つが利用される」ものであっても構わない。
【００２２】
したがって、本発明の土壌充填による還元消毒法によれば、フスマ及び米糠が有機物として選択され、利用されている。ここで、フスマは、小麦を粉に挽くときに出る皮のカスであり、主に家畜の飼料や肥料として使用されているものである。そのため、比較的安価に、かつ大量に入手することが容易であり、多くの園芸用培土に対する還元消毒を行う場合であってもコストが嵩むことが少ない。一方、米糠は、玄米を精米する際に外皮の一部がすりつぶれて出る薄黄色の粉末であり、同様に家畜の飼料、肥料などの使われている。また、米糠は、油を精製したり、野菜などを漬物とする際の糠床に利用されるものである。さらに、作物残渣とは、例えば、キャベツやトマトなどの収穫物を収穫した後に残る葉や茎などのことである。したがって、これらの有機物として比較的容易に入手することが可能なこれら資材を利用することにより、土壌充填による還元消毒法を行う際に特に困難性を生じることがない。また、係る有機物には、窒素分が多く含まれており、改めて化学肥料などの基肥を土壌に投入することを省略することができる。
【００２３】
さらに、本発明の土壌充填による還元消毒法は、上記構成に加え、「前記樹脂製袋は、光透過性素材によって形成され、前記静置工程は、前記樹脂製袋の内部に充填された前記土壌混合物に対し、前記樹脂製袋を通して太陽光が照射され、地温を２０℃以上、６０℃以下に保持する」ものであっても構わない。
【００２４】
したがって、本発明の土壌充填による還元消毒法によれば、土壌混合物を充填する樹脂製袋として、光透過性の素材、換言すれば、透明或いは半透明な素材が利用されている。そのため、樹脂製袋の内部に密閉された状態の土壌混合物は、樹脂製袋に対して照射された太陽光を、樹脂製袋を通して浴びることができる。これにより、太陽光の照射によって土壌の地温を、例えば、２０℃以上に確保し、維持することができる。その結果、静置工程における静置条件を安定させられる。なお、前述したポリエステル樹脂やポリ塩化ビニル樹脂は、透明或いは半透明の性状を呈するものが大部分であり、光透過性を有するこれらの樹脂製袋を入手することに、特に困難性を伴うことはない。なお、太陽光によって地温を上昇させるものであるため、地温が６０℃以上になることは一般的には想定されない。また、６０℃以上の高温条件では有機物の分解を担う土壌微生物の働きが大きく異なるため、十分な還元効果を得ることができないと考えられる。そのため、保持する地温の上限を６０℃以下に本発明においては設定している。
【発明の効果】
【００２５】
本発明の効果として、小規模の農家や一般家庭などの家庭菜園で使用する土壌を容易に還元消毒することができ、特に、園芸用植物等の育苗ポットに使用する土壌に適したものとして使用することができる。
【発明を実施するための最良の形態】
【００２６】
次に、本発明の一実施形態の土壌充填による還元消毒法１（以下、単に「消毒方法１」と称する）について、図１乃至図４に基づいて説明する。ここで、図１は本実施形態の消毒方法１の各工程の流れを示すフローチャートであり、図２は消毒方法１に使用する（ａ）ポリエチレン袋２、（ｂ）閉塞具３の構成を示す説明図であり、図３及び図４は消毒方法１の各工程の流れを模式的に示す説明図である。
【００２７】
本実施形態の消毒方法１は、図１乃至図４に示すように、土壌４に含まれる土壌病原菌（図示しない）を低酸素状態に置くとともに、土壌微生物による有機物の分解によって消毒対象となる土壌４と、土壌４に対して所定の混合比率によって混合されるフスマ５と、土壌４及びフスマ５が混合された土壌混合物６に対して与えられる十分な水量の水７とを主に利用して行われる。また、本発明の消毒方法１に使用する機材としては、不透水性の厚手のポリエチレン樹脂製のシートを袋状にしたポリエチレン袋２と、ポリエチレン袋２に開口した袋口８を縛り、ポリエチレン袋２の内部を密閉状態にすることが可能な紐状の閉塞具３とを主に用いて行われる。ここで、ポリエチレン袋２が本発明における樹脂製袋に相当し、フスマ５が易分解性の有機物に相当する。
【００２８】
さらに、詳しく説明すると、図２に示すように、ポリエチレン袋２は、園芸用植物に施肥される肥料などが充填された、いわゆる「肥料袋」を再利用したものである。なお、このポリエチレン袋２は、肥料等を収容し、さらに搬送や積替え時に加えられる可能性のある衝撃に抗するために比較的肉厚の素材が用いられ、さらに熱接合部分も強固なものとなっている。そのため、ポリエチレン袋２が破れ、容易に孔が穿くようなことはほとんどない。加えて、ポリエチレン袋２は、水分及び空気を透過することのない不透水性及び光透過性のポリエチレン樹脂からなっているため、水密性及び気密性を保持することができるとともに、ポリエチレン袋２の内部に太陽光Ｓを取り込むことのできる光透過性の性状を併せて有している。また、前述したように、ポリエチレン袋２の一部には、開口した袋口８が設けられ、係る袋口８から土壌混合部６の充填や水７の供給を行うことができる。なお、ポリエチレン袋２として用いられる肥料袋は、一般に容量が約２０リットル程度のものが利用されていることが多く、本実施形態の消毒方法１においても係る程度の容量のものが準備されている。なお、後述する土壌混合物６のポリエチレン袋２の充填及び水７の供給によって、土壌混合物６及び水７が密閉された状態のポリエチレン袋２の重量は増加することが予想されるものの、その後の静置する際の運搬作業に支障を来すほどではない。
【００２９】
次に、本実施形態の消毒方法１の使用の一例について、図１、図３、及び図４を特に用いて説明を行う。まず、予め準備されたポリエチレン袋２の中に、消毒対象となる土壌４及び土壌４に対して重量比が約１．０重量％になるように調整されたフスマ５を混合し、土壌混合物６を形成しておく。そして、混合された土壌混合物６をポリエチレン袋２の袋口８から充填する（充填工程Ｓ１：図３（ａ）参照）。なお、ポリエチレン袋２に充填される土壌混合物６の量は、次工程以降で行われる水７の供給及び閉塞具３の閉塞作業の容易さを考慮して、若干の隙間を有する状態、換言すれば、ポリエチレン袋２の最大容量よりも少ない量が充填されている。
【００３０】
その後、ポリエチレン袋２に所定量が充填された土壌混合物６に対し、十分な水量の水７が供給される（浸潤化工程Ｓ２：図３（ｂ）参照）。このとき、供給される水７は、土壌混合物６に対し、圃場容水量以上（ｐＦ＞１．８に相当）の水量が供給される。なお、圃場容水量については、既に説明を述べたため、ここでは詳細な説明は省略する。その結果、ｐＦ＝１．８以上に相当する状態となり、高含水率の浸潤状態にある土壌混合物６にすることができる。
【００３１】
その後、ポリエチレン袋２の袋口８を紐状の閉塞具３によって縛ることで閉塞し、袋内外の通気を遮断して、さらに土壌混合物６に与えられた水７が外部に漏出しないよう密閉する（密閉工程Ｓ３：図３（ｃ）参照）。これにより、ポリエチレン袋２の内部が、外部から水密及び気密となった状態で遮断される。
【００３２】
それから、土壌混合物６が内部に充填されたポリエチレン袋２を、所定の温度条件の環境下で静置する（静置工程Ｓ４：図４（ａ）参照）。このとき、土壌混合物６に対しては、ポリエチレン袋２が前述したように光透過性の素材によって形成されているため、静置された状態で太陽光Ｓを浴びることができる。これにより、土壌混合物６の地温を２０℃以上に確保し、土壌微生物による有機物の分解が進みやすい環境を創出することができる。なお、静置工程Ｓ４では、約３週間程度、地温を２０℃以上に確保した状態を継続する条件が、本実施形態の消毒方法１においては採用されている。
【００３３】
このとき、ポリエチレン袋２の内部では、有機物として混合されたフスマ５が、高含水率の嫌気状態に置かれ、さらに一定以上の温度に保たれることにより土壌微生物（図示しない）による急激な分解が行われる。
【００３４】
そして、静置工程Ｓ４を３週間継続して、土壌微生物による有機物の分解が終わった後に、閉塞具３によって密閉されていたポリエチレン袋２の袋口８を開放し、土壌混合物６をポリエチレン袋２の内部から取出す。このとき、還元消毒後の土壌混合物６は未だ含水率が高い状態にあるため、このままでは園芸用等の土壌として使用することが困難である。そこで、取出した土壌混合物６を、天日などに晒して乾燥させる（乾燥工程Ｓ５：図４（ｂ）参照）。
【００３５】
なお、乾燥工程Ｓ５の完了時期の目安は、土壌混合物６に含まれる硫化水素や硫化鉄に起因する臭い（「ドブ臭」と呼称されることもある）の消失した時期をもって嗅覚などにより判断することができる。そして、係る処理済み土壌９をプランターや育苗ポットの培土として利用することができる。特に、ポリエチレン袋２に収容した状態で、少量ずつ還元消毒の処理を行うことができるため、小規模の農場や家庭菜園用に適するものである。また、本実施形態の消毒方法１を行うための機材として、ポリエチレン袋２や閉塞具３などの比較的簡易で、かつ入手が容易なものが用いられるため、消毒方法１の実施が非常に楽に行え、かつコストもほとんど必要とならない。さらに、従来の臭化メチル剤を利用するくん蒸のように、人体や地球環境に対する影響がほとんどなく、いわば自然に優しい土壌消毒の手法であると、本発明の消毒方法１は言うことができる。
【００３６】
また、本発明の消毒方法１によれば、静置工程Ｓ４において、ポリエチレン袋２の内部で行われる有機物の分解等の作用により、土壌中の土壌病原菌等の駆除とともに、雑草の種子などを同時に死滅させることができる。その結果、処理済みの土壌９を培土として用いた場合、生育のよい作物を育てることができる。加えて、土壌４に対して有機物として加えられるフスマ５は、窒素分を多量に含有していることが知られ、係るフスマ５の使用により処理済みの土壌９には、予め植物の生育に不可欠な窒素分が含まれていることになる。その結果、従来のように、基肥として化学肥料を施肥する必要がない。
【００３７】
上記に説明したように、本発明の消毒方法１によれば、フスマ５などの有機物、圃場容水量以上の水７、及びポリエチレン袋２の密閉による低酸素状態の条件を、簡易な基材で揃えることにより、特に、小規模の園芸用培土の再生を容易に行うことができる。加えて、土壌病原菌による土壌病害の被害の抑制に加え、土壌４の中の雑草の生育を抑えることができ、雑草の除去などの手間のかかる作業の労力を軽減することができる。
【００３８】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００３９】
すなわち、本実施形態の消毒方法１において、土壌４に対して加える有機物として小麦の皮のカスからなるフスマ５を用いるものを示したが、勿論これに限定されるものではなく、土壌微生物による易分解性を要するものであれば構わない。例えば、フスマ、米糠、ショ糖、及び稲わらなどを含む作物残渣などを使用することができる。このとき、係る有機物のＣ／Ｎ比（炭素／窒素比）に応じて、土壌４に対する重量比や静置工程Ｓ４における静置条件を変更することが可能である。一般に、Ｃ／Ｎ比が高い、すなわち、炭素の比率が高い有機物は、土壌微生物による分解が緩やかであり、そのため、本発明の消毒方法１においても、十分な肥料効果を得ようとする場合、添加量を増やしたりする必要があると想定される。そのため、Ｃ／Ｎの高い有機物は、消毒及び肥料効果を得ようとする場合はあまり向いていないと考えられる。
【００４０】
また、土壌４に対するフスマ５の重量比を１．０重量％にするものを示したが、勿論、これに限定されるものではない。しかしながら、有機物の占める比率が低いと、適切な消毒効果を得ることができない。一方、有機物の占める比率が高いと、土壌４に混合する有機物の量が増加し、コストの増加や適切な肥料効果を得ることができない。そこで、土壌４に対する混合比率を０．５重量％以上、１０．０重量％以下、さらに好ましくは、１．０重量％以上、２．０重量％以下の範囲に設定することにより、上述の問題をほぼ解消することができるようになる。
【図面の簡単な説明】
【００４１】
【図１】本実施形態の土壌充填による還元消毒法の各工程の流れを示すフローチャートである。
【図２】土壌充填による還元消毒法に使用される（ａ）ポリエチレン袋、及び（ｂ）閉塞具の構成を示す説明図である。
【図３】土壌充填による還元消毒法による各工程の流れを模式的に示す説明図である。
【図４】土壌充填による還元消毒法による各工程の流れを模式的に示す説明図である。
【符号の説明】
【００４２】
１  消毒方法（土壌充填による還元消毒法）
２  ポリエチレン袋（樹脂製袋）
４  土壌
５  フスマ（有機物）
６  土壌混合物
７  水
８  袋口
９  処理済みの土壌
Ｓ  太陽光
Ｓ１  充填工程
Ｓ２  浸潤化工程
Ｓ３  密閉工程
Ｓ４  静置工程
【図１】
2005112815.tif 000003
【図２】
2005112815.tif 000004
【図３】
2005112815.tif 000005
【図４】
2005112815.tif 000006